(57)【特許請求の範囲】
【請求項１】
太陽光パネルから直流電力を交流電力に変換するインバータを有したパワーコンディショナと、該パワーコンディショナから出力される交流電力を高圧交流電力に昇圧する変圧器と、該変圧器と既存の電力系統の間に配置された遮断器とを収納した配電盤であって、
前記配電盤は、前記パワーコンディショナと、前記変圧器と、前記遮断器とが１つのベース盤の上に配置されており、該パワーコンディショナを収納する室と、該遮断器及び継電器を収納する室と、該変圧器を収納する室とに区切られ、該パワーコンディショナを収納する室に隣接して、該遮断器及び継電器を収納する室と該変圧器を収納する室とが配置されており、
１つの屋根が、前記配電盤を覆うように配置され、さらに、該１つの屋根の各コーナに吊耳が配置されており、
前記変圧器を収納する室は、前記遮断器及び継電器を収納する室の後側に配置され、変圧器を外気に触れさせることで冷却するために側面の少なくとも一部が開口されており、
前記パワーコンディショナを収納する室と前記遮断器及び継電器を収納する室とは熱遮蔽板によって仕切られており、
前記１つの屋根の、前記パワーコンディショナを収納する室の上側に冷却ファンが配置され、前記パワーコンディショナを収納する室の側面下部に通気孔が形成され、外気が該通気孔から入り前記冷却ファンから外に排出される気流となっており、
前記変圧器を収納する室と前記遮断器及び継電器を収納する室との間に金属製の仕切り板が配置されていることを特徴とする配電盤。
【請求項２】
請求項１記載の配電盤において、
前記吊耳を、先端が半円形状で丸孔を有した金属板で形成し、前記１つの屋根の短辺に対し略４５°の傾きとなるように配置したことを特徴とする配電盤。
【請求項３】
請求項１記載の配電盤において、
前記配電盤の１つの屋根に傾斜を設けたことを特徴とする配電盤。
【請求項４】
請求項１記載の配電盤において、
前記変圧器の上側に、高圧設備機器を配置した変圧器上部ダクトを設け、前記変圧器と前記高圧設備機器との接続線を短くしたことを特徴とする配電盤。
【発明の詳細な説明】
【技術分野】
【０００１】
本発明は、太陽光発電システムにおいて、太陽光パネルより得られた直流電力をパワーコンディショナ（ＰＣＳ（Ｐｏｗｅｒ  Ｃｏｎｄｉｔｉｏｎｉｎｇ  Ｓｙｓｔｅｍ）ともいう）によって交流電力に変換し、これらの機器を配置し電力系統に接続する配電盤に関する。
【背景技術】
【０００２】
近年、地球温暖化防止に向けたＣＯ２削減の国際的な取組みなど環境保全意識の高まりを背景に、太陽光発電システムの普及が拡大しつつある。この太陽光発電システムにおいて、太陽の光エネルギーは太陽電池モジュールによって直流電力に変換され、この直流電力がパワーコンディショナによって交流電力に変換され、電力系統に接続され売電可能となる。
【０００３】
具体的には、パワーコンディショナにおいては、太陽電池の出力を受けてこれを所定の交流に変換するインバータを備え、インバータの出力を変圧器により系統電圧に変換し、電力系統と接続される。
【０００４】
パワーコンディショナの構成は、インバータ、フィルタ、制御回路、変圧器などからなり、太陽光パネルの出力電圧をインバータにて交流電圧に変換し、出力している。
また、「再生可能エネルギーの固定価格買取制度」においては、１０ｋＷ以上のパワーコンディショナの場合、６，６００Ｖの電力系統へ連系するための変圧器や遮断器が必要となる。また、パワーコンディショナ、変圧器または遮断器等をそれぞれ個別に設置してもよいが、特許文献１（特許第５１７７７８２号公報）に記載のように、パッケージにして一体化することも考えられる。
しかし、特許文献１の構成は、それぞれの機器が分割されて配置されているため、作業性が複雑となっている。
【先行技術文献】
【特許文献】
【０００５】
【特許文献１】特許第５１７７７８２号公報
【発明の概要】
【発明が解決しようとする課題】
【０００６】
特許文献１には、太陽光発電における太陽電池など、盤筐体の外から流入した電力を低圧交流電力に変え、この低圧交流電力をより高圧な高圧交流電力に変え、この高圧交流電力を盤筐体の外へ送電する配電盤に関し、盤筐体内に低圧交流電力変換部と高圧交流電力部を、盤筐体外に変圧器を設け、低圧ケーブルと高圧ケーブルを、盤筐体の内外に亘る位置で並列させ、低変換部、高送電部、変圧器の順に並べることで、「盤の小型化」、「冷却効率の向上」及び「不用意な接触の抑制」の同時実現を図るというもので、盤筐体２と、盤筐体２外からの直流電力を低交流電力Ｌに変える低圧交流電力変換部３と、低圧交流電力変換部３からの低圧交流電力Ｌをより高圧な高圧交流電力Ｈに変える変圧器４と、変圧器４からの高圧交流電力Ｈを盤筐体２外へ送電する高圧交流電力部５を有し、盤筐体２内に低圧交流電力変換部３と高圧交流電力部５を設け、盤筐体２外に変圧器４を取り付け、低圧ケーブル６Ｌと高圧ケーブル６Ｈは、盤筐体２内外に亘る位置で並列に配設され、低圧交流電力変換部３、高圧交流電力部５、変圧器４の順で、所定方向に並べて配置されていることが記載されている。
【０００７】
本発明の目的は、太陽光発電システムで使用されるパワーコンディショナを構成するインバータ、フィルタ、制御回路、変圧器の外に、高圧遮断器、地絡過電圧継電器などを１個の筺体の配電盤に納めて小型化を図り、組立作業を容易にし、設置スペースを縮小した配電盤を提供することにある。
【課題を解決するための手段】
【０００８】
上記課題を解決するために、例えば特許請求の範囲に記載の構成を採用する。本願は上記課題を解決する手段を複数含んでいるが、その一例を挙げるならば、太陽光パネルから直流電力を交流電力に変換するインバータを有したパワーコンディショナと、該パワーコンディショナから出力される交流電力を高圧交流電力に昇圧する変圧器と、該変圧器と既存の電力系統の間に配置された遮断器とを収納した配電盤であって、
前記配電盤は、前記パワーコンディショナと、前記変圧器と、前記遮断器とが１つのベース盤の上に配置されており、該パワーコンディショナを収納する室と、該遮断器及び継電器を収納する室と、該変圧器を収納する室とに区切られ、該パワーコンディショナを収納する室に隣接して、該遮断器及び継電器を収納する室と該変圧器を収納する室とが配置されており、
１つの屋根が、前記配電盤を覆うように配置され、さらに、該１つの屋根の各コーナに吊耳が配置されており、
前記変圧器を収納する室は、前記遮断器及び継電器を収納する室の後側に配置され、変圧器を外気に触れさせることで冷却するために側面の少なくとも一部が開口されており、
前記パワーコンディショナを収納する室と前記遮断器及び継電器を収納する室とは熱遮蔽板によって仕切られており、
前記１つの屋根の、前記パワーコンディショナを収納する室の上側に冷却ファンが配置され、前記パワーコンディショナを収納する室の側面下部に通気孔が形成され、外気が該通気孔から入り前記冷却ファンから外に排出される気流となっており、
前記変圧器を収納する室と前記遮断器及び継電器を収納する室との間に金属製の仕切り板が配置されていることを特徴とする。
【発明の効果】
【０００９】
太陽光発電システムで使用されるパワーコンディショナを構成するインバータ、フィルタ、制御回路、変圧器の外に、高圧遮断器、地絡過電圧継電器などを１台の配電盤に納めたため、変圧器などの配線を短くでき、配電盤全体の銅損を減少し、小型化を図れたため省スペースで設置することができた。
【００１０】
また、配電盤は金属フレームを用いた筐体で構成しており、制御用パネルの取り付けが容易にでき、作業効率が良くなった。また、配電盤の屋根の上に配置した吊耳の形状及び配置を引っ張り力に対し強度を増す配置としたため、配電盤自体を分割せずに吊り下げて搬送、移動できるようになった。
【図面の簡単な説明】
【００１１】
【図１】太陽光発電システムの配電盤の接続構成図を示す。
【図２Ａ】本発明の配電盤の概略構成図を示す。
【図２Ｂ】配電盤に具体的に機器を配置した縦断面の正面図を示す。
【図２Ｃ】配電盤の側面図を示す。
【図３】配電盤の外観斜視図を示す。
【図４Ａ】配電盤の組み立ての第１ステップの斜視図を示す。
【図４Ｂ】配電盤の組み立ての第２ステップの斜視図を示す。
【図４Ｃ】配電盤の組み立ての第３ステップの斜視図を示す。
【図４Ｄ】配電盤の組み立ての第４ステップの斜視図を示す。
【図４Ｅ】配電盤の組み立ての第５ステップの斜視図を示す。
【図４Ｆ】配電盤の組み立ての第６ステップの斜視図を示す。
【図５】配電盤の背面側からみた縦断面図を示す。
【図６】配電盤の冷却を説明するための概念図及び具体的に機器を配置したときの空気の流れを示す図である。
【図７Ａ】配電盤の屋根に吊耳を屋根の辺と平行に配置したときの引っ張り力による吊耳の形状変化図を示す。
【図７Ｂ】配電盤の屋根に吊耳を屋根の辺と４５°傾斜して配置したときの引っ張り力による吊耳の形状変化図を示す。
【図８】パワーコンディショナを１台増設した場合の配電盤の配置図を示す。
【発明を実施するための形態】
【００１２】
以下、本発明の実施の形態を図面を用いて説明する。
（実施例１）
本発明の実施例１においては、太陽光発電システムで使用する機器を設置した配電盤の構成について説明する。図１は、太陽光発電システムの配電盤の接続構成図を示す。図１において、１０は配電盤、１１は電力系統、１２は遮断器、１３は変圧器、１４はパワーコンディショナ、１５は地絡過電圧継電器、１６は太陽光パネルである。
太陽光パネル１６から出力される直流電力は、インバータ、フィルタリアクトル、フィルタコンデンサなどで構成されるパワーコンディショナ１４に入力され、インバータで三相交流に変換し、フィルタ回路で高調波分をカットする。そして、変圧器１３により電圧を昇圧し、系統電圧に変換し、遮断器１２を介して電力系統１１に出力する。また、変圧器１３の出力は、地絡が発生したことを知らせる地絡過電圧継電器１５に接続されている。また、図１において、ＭＣＣＢはノーヒューズブレーカ等の開閉器で、ＭＣは電磁接触器、ＩＮＶはインバータである。
【００１３】
次に、パワーコンディショナの配電盤１０の構成について、図２Ａ〜図２Ｃ及び図３を用いて説明する。
一般に、図１に示したそれぞれの機器を１台の配電盤に収納する場合、高圧遮断器などの機器があるため絶縁距離を確保する必要があり、大形化にならざるを得なかった。その結果、配電盤を移動することは困難であった。この問題を解消するため、本発明の配電盤を図２Ａに示す構成とした。
【００１４】
図２Ａにおいて、図２Ａ（ａ）は、配電盤１０の概略構成の側面図を示し、図２Ａ（ｂ）はその正面図を示す。図２Ａ（ｂ）の概略構成の正面図において、配電盤１０の右側のスペースにはパワーコンディショナ１４を配置し、このパワーコンディショナ１４の上側には冷却ファン１８を配置する。また、配電盤１０の左側のスペースには遮断器１９や継電器２０を配置し、配電盤１０の左右のスペースの間には、熱遮蔽板２１を配置する。また、図２Ａ（ａ）の概略構成の側面図において、配電盤１０の左側スペースに遮断器１９や継電器２０を配置する後側には、変圧器１７（図１の１３に対応）を配置している。そして変圧器１７は配電盤１０の側面板及び背面板で囲うことはせず、外気に触れる構成とする。また、図２Ａ（ａ）、（ｂ）において、配電盤の横幅は概略２４００ｍｍ、高さが概略２６００ｍｍで、奥行が概略１４００ｍｍである。
【００１５】
次に、図２Ｂは、配電盤１０に具体的な機器を配置した前面の縦断面の正面図を示す。図２Ｂにおいて、配電盤１０の右側のスペースには、計器パネル４２などのパワーコンディショナ１４を配置し、このパワーコンディショナ１４を配置した天井部即ち屋根３０の上側には冷却ファン１８を配置している。ここで、配電盤の右側のスペースを、パワーコンディショナ収納スペースという。また、配電盤１０の左側のスペースには、ＬＢＳ(高圧気中負荷開閉器)２２、ＯＣＲ(過電流継電器)２３、ＤＧＲ(地絡方向継電器)２４、ＯＶＧＲ(地絡過電圧継電器)２５の遮断器及び継電器を配置したパネルを配置している。ここで、配電盤の左側のスペースを、遮断器及び継電器収納スペースという。また、配電盤１０の左右のスペースの間には、右側のスペースからの熱を左側のスペースに伝達しないように熱遮蔽板２１を設置している。
【００１６】
次に、図２Ｃにおいて、配電盤１０の側面図を示す。図２Ｃにおいて、右側が配電盤１０の前面側で、左側が背面側である。２６は配電盤前面の扉、２８は遮断器や継電器のパネルを収納しているスペース、１７は遮断器や継電器のパネルを収納しているスペースの裏側に配置した変圧器、２９は変圧器上部ダクト、３０は天井部の屋根、１８は屋根３０の上側に配置された冷却ファン、３１は屋根３０のコーナに配置された吊耳である。
【００１７】
変圧器１７は、上記している通り、配電盤１０の側面板及び背面板で囲う構成にしておらず、配電盤周囲の外気と直接触れ冷却するように構成している。このように変圧器を直接外気に触れる構成としたため、変圧器の冷却フィン(波形リブ)が盤外に露出し冷却されるため、配電盤１０内に変圧器冷却用の冷却ファンやエアコンを内蔵する必要はない。ただし、変圧器１７のブッシングなど充電部については、配電盤１０の内部とし、絶縁保護を行う。また、変圧器１７を配電盤ベース４０上に設置することで、配電盤全体を一体にて運搬可能となる。
また、屋根３０は、前面部の厚みを背面部より厚くして傾斜を形成し、降雨時流れ落ちるようにしている。
【００１８】
次に、図３に本発明の配電盤１０の外観斜視図を示す。図３に示した配電盤１０は、全体の外形形状が直方体形状で、正面から見て右側のスペースに太陽光パネル１６からの直流電力を交流電力に変換するパワーコンディショナ装置を配置する機器及びパネルを配置している。２６１はパワーコンディショナ収納スペースの扉で、２６３は取手である。配電盤１０の左側のスペースには、ＬＳＢ、ＯＣＲ、ＰＧＲ、ＯＶＧＲなどの遮断器、継電器を配置しており、後側には変圧器１７を配置する。２６２は遮断器や継電器を収納するスペースの扉で、２６４はその取手である。配電盤１０の屋根３０には、冷却ファン１８をパワーコンディショナ収納スペースの上側に配置し、各コーナに吊耳３１を配置している。吊耳については後で説明する。
【００１９】
(実施例２)
次に、本発明の実施例２の配電盤の組立について、図４Ａ〜図４Ｆを用いて説明する。図４Ａは、ベース４０の上に変圧器１７、ＰＣＳ筺体フレーム４１を組み立てる工程を示す斜視図である。図４Ａにおいて、ベース４０はＬ字形状やコ字形状をした金属製フレームで、全体の矩形枠を形成し、パワーコンディショナ収納スペースを形成するフレーム、変圧器１７を設置するためのフレーム、遮断器や継電器を収納するスペースを形成するフレームをベース４０の矩形枠に嵌め込んで、配電盤１０のベース４０を構成する。
【００２０】
そして、このベース４０の上に、インバータ４３、インバータ用入出力パネル４４、及びパワーコンディショナ用計器パネル４２を配置する、直方体の枠体であるパワーコンディショナ筺体フレーム４１をベース４０に形成し、インバータ４３などを取り付ける。また、変圧器１７は、配電盤１０の左奥のベース４０の上に設置し、変圧器１７の上部の端子板４６の周囲には変圧器上部ダクト連結部４５を配置する。変圧器上部ダクト連結部４５は、Ｌ字形状またはコ字形状の金属フレームで、四角い枠に形成されている。
【００２１】
次に、図４Ａの状態において、変圧器１７の前面側サイドに仕切板を配置する工程を図４Ｂに示し、説明する。図４Ｂは、配電盤１０の左側の遮断器や継電器収納スペースと変圧器１７とを仕切る仕切板４７を配置する斜視図を示す。仕切板４７は、金属板で形成され、変圧器１７で生じる磁力線などの影響を遮断器や継電器に及ぼさないようにしている。
【００２２】
次に、図４Ｂの仕切板４７を設置した状態において、変圧器上部ダクト４８を配置する工程を図４Ｃに示し、説明する。図４Ｃは、変圧器１７の端子の周囲に配置した変圧器上部ダクト連結部４５の上に、変圧器上部ダクト４８を配置する斜視図を示し、図４Ｃにおいて、変圧器上部ダクト４８は、直方体の三面で形成され、変圧器１７の端子部の箇所に対応する所は四角形の孔４８１を形成し、背面側にも孔４８２を形成している。この変圧器上部ダクト４８を上方より変圧器上部ダクト連結部４５の上に載置し、合わせ面をネジで止め固定する。
【００２３】
次に、変圧器上部ダクト４８を固定した状態において、配電盤１０のＰＣＳ収納スペースと遮断器及び継電器収納スペースとを仕切る熱遮蔽板２１を配置する工程を図４Ｄに示し、説明する。図４Ｄにおいて、パワーコンディショナ収納スペースと遮断器及び継電器収納スペースとの境界に熱遮蔽板２１を配置する。熱遮蔽板２１はパワーコンディショナ収納スペースに発生する熱を遮断器及び継電器収納スペースに伝達するのを妨げるために設けている。これについては後で説明する。また、パワーコンディショナ収納スペースの側面には、金属板で形成したパワーコンディショナ収納スペース用側面板を配置し、ネジにより固定する。
【００２４】
次に、図４Ｄにて熱遮蔽板２１及びパワーコンディショナ収納スペース用側面板を配置した状態において、パワーコンディショナ収納スペースに正面板５０及び背面板５１を配置し、遮断器及び継電器収納スペースに遮断器及び継電器パネル５３を配置し、遮断器及び継電器収納スペースの正面板５２を配置する工程を図４Ｅに示し、説明する。図４Ｅにおいて、パワーコンディショナ収納スペースの正面板５０は、矩形の枠体を成し、ベース４０と側面板４９とに当接させてネジ止めで固定する。パワーコンディショナ収納スペースの背面板５１は、金属板をコ字形状に折り曲げて形成し、ベース４０と側面板４９と熱遮蔽板２１とにそれぞれ当設させてネジ止めして固定する。
【００２５】
また、遮断器及び継電器収納スペースの正面板５２は、側面板を折り曲げてＬ字形状とし、正面板の前面は扉２６２を配置するため大きな矩形の孔を形成し、パワーコンディショナ収納スペースの正面板５０と、仕切板４７とに当設し、ネジ止めにて固定する。また、遮断器及び継電器パネル５３は、正面板５０の後側のフレームに配置し固定する。
【００２６】
次に、配電盤１０の正面板、側面板および背面板を配置して固定し、盤内にインバータ、パワーコンディショナ用機器パネル、インバータ用入出力パネル、変圧器、遮断器及び継電器パネル等を配置した状態において、屋根を配置する工程を図４Ｆに示し、これについて説明する。図４Ｆは、配電盤１０の下側の正面板５０、５２、側面板４９及び背面板５１で囲われたなかにそれぞれの機器が配置された状態の上側に、冷却ファン１８をパワーコンディショナ側の上に配置した屋根３０を配置する斜視図を示す。また、屋根の各コーナには、吊耳３１を配置しており、配電盤１０をクレーンなどにより吊り下げて移動するときに用いる。
以上が、配電盤１０の組立ての説明である。
【００２７】
(実施例３)
本発明の実施例３の変圧器、変圧器上部ダクト連結部及び変圧器上部ダクトの関係について、図５を用いて説明する。図５は、配電盤１０の背面側からみた図を示す。図５において、左側はパワーコンディショナ収納スペースで、５５は抵抗器が並んだ抵抗器パネルを示し、４４はインバータ入出力パネルである。配電盤１０の右側は、変圧器１７と変圧器上部ダクト４８とを接続する変圧器上部ダクト連結部４５を備えている。変圧器上部ダクト４８は、結線バー、高圧ＣＴ、ＺＰＤ(コンデンサ形地絡検出装置)など高圧設備機器が配置されて、このパネルの裏側にＬＢＳ２２、ＯＣＲ２３、ＤＧＲ２４、ＯＶＧＲ２５などがあり接続されている。
【００２８】
また、変圧器上部ダクト連結部４５は、図４Ｃの斜視図に示しているように変圧器１７の一次側及び二次側の端子が整列して配置されている。この変圧器１７の一次側及び二次側から変圧器上部ダクト４８の結線バー、高圧ＣＴ及びＺＰＤなどに接続される構成になっているため、接続線は最小の長さとなっている。
従って、このような構成にすることにより、配電盤全体の銅損を小さくする効果を有する。
【００２９】
(実施例４)
次に、本発明の実施例４の配電盤１０の冷却について、図６を用いて説明する。
図６において、図６（ａ）は配電盤１０の冷却を説明するための概念図で、図６（ｂ）は配電盤１０のＰＣＳ用計器パネルを搭載した場合の冷却用空気の流れ５４を示す。図６（ａ）において、配電盤１０のパワーコンディショナ収納スペースと遮断器及び継電器収納スペースとで最も発熱する機器はパワーコンディショナのインバータで、次が変圧器である。変圧器１７は、上記の通り外気の空気に触れて冷却フィンを用いて冷却しているため冷却ファンやエアコンなどを用いる必要はない。
【００３０】
しかし、インバータ４３は発熱量が大きく、配電盤１０内に配置しているため冷却ファンを用いて冷却する必要がある。実施例４は、屋根３０のパワーコンディショナ収納スペースの上側に冷却ファン１８を配置し、パワーコンディショナ収納スペースの下方より空気を冷却ファン１８により吸い上げて、冷却する構成としている。また、パワーコンディショナ収納スペースと遮断器及び継電器収納スペースとの間には、熱遮蔽板２１を配置しているため、温度の高いパワーコンディショナ収納スペースより発熱量が小さく温度が低い遮断器及び継電器収納スペースの方へ熱が伝わらないようにしている。このように熱遮蔽板２１を設けることにより、空気の流れ５４によりインバータ４３を集中して冷却することが可能である。
【００３１】
図６(ｂ)は、配電盤１０のパワーコンディショナ収納スペースにパワーコンディショナ計器パネル４２を配置し、熱遮蔽板２１を隔てて遮断器及び継電器パネル２８を配置した配電盤の構成において、矢印５４のように下方より上方に向かって冷却ファン１８によって空気が流れるように、配電盤の下側または側面板には通気孔５６を配置している。このような構成により、パワーコンディショナ用機器特にインバータの冷却を集中して行うことができ、熱遮蔽板２１により発熱量の小さい遮断器または継電器への熱の影響をなくすことができる。
【００３２】
(実施例５)
次に、本発明の実施例５の配電盤１０をクレーンなどで吊り下げて、設置又は移動するとき屋根のコーナに配置した吊耳について、図７及び図８を用いて説明する。図７（ａ）及び図８（ａ）は、配電盤１０の屋根３０の上面図を示し、図７(ｂ)及び図８(ｂ)は、吊耳を吊り下げたときの引張り力により変形した形状を示している。実施例５で用いた吊耳３１は、突起状の板材で、先端が半円形状を成し、半円部分に線材などを通すための丸い孔を有している。
【００３３】
図７Ａ（ａ）に示した吊耳の場合、すなわち屋根３０の各コーナに配置した吊耳３１の厚み方向を屋根３０の短辺と平行に配置して、配電盤１０を吊り下げた場合、吊耳３１に掛かる引っ張り力により図７Ａ（ｂ）に示す形状となることが解析により得られた。
【００３４】
また、図７Ｂ（ａ）に示した吊耳の場合、すなわち屋根３０の各コーナに配置した吊耳３１の厚み方向を、屋根３０の短辺に対し４５°傾斜させて、中心方向に向かうように配置する。このような構成において、配電盤１０を屋根３０の上方の１点から各コーナの吊耳３１にワイヤなどの線材を通し、吊り下げたとき吊耳３１は力の荷重方向に板厚が厚くなっているため、強度が増加している。
図７Ｂ(ａ)の構成で、配電盤１０を吊り下げたとき、吊耳３１は図７Ｂ(ｂ)に示すが、ほとんど形状に変形している箇所は見られない。従って、吊下げ強度を十分に得る効果を有する。以上述べたように、本発明の配電盤構造において、小型化を実現でき、配電盤１０の吊耳の強度も確保することができる。
【００３５】
(実施例６)
次に、本発明の実施例６の構成について、図８を用いて説明する。図８において、図８(a)は配電盤の側面図で、図８(ｂ)は正面図を示す。図８(ｂ)において、実施例６は、実施例１の構成にパワーコンディショナ収納スペースを１台並列に増加した構成を示している。パワーコンディショナ１４を増設して２台使用する場合は、図８(ｂ)のように並列して連結して使用する。また、さらにパワーコンディショナ１４を増設して使用する場合は、パワーコンディショナ１４を３台並列に連結して使用する。また左側の遮断器及び継電器収納スペース及び変圧器の箇所は、図８（ａ）に示すように実施例１と同じである。このように、パワーコンディショナ１４を増設する場合、パワーコンディショナ１台以外を一体の配電盤とすることで作業性の向上を図れる。
【符号の説明】
【００３６】
１０‥配電盤
１１‥電力系統
１２‥遮断器
１３、１７‥変圧器
１４‥パワーコンディショナ
１５‥地絡過電圧継電器
１６‥太陽光パネル
１８‥冷却ファン
１９‥遮断器
２０‥継電器
２１‥熱遮蔽板
２２‥ＬＢＳ(高圧気中負荷開閉器)
２３‥ＯＣＲ(過電流継電器)
２４‥ＤＧＲ(地絡方向継電器)
２５‥ＯＶＧＲ(地絡過電圧継電器)
２６‥扉
２８‥継電器収納盤
２９、４８‥変圧器上部ダクト
３０‥屋根
３１‥吊耳
２６１‥パワーコンディショナ収納スペース用扉
２６２‥遮断器及び継電器収納スペース用扉
２６３、２６４‥取手
４０‥ベース
４１‥パワーコンディショナ筺体フレーム
４２‥パワーコンディショナ用計器パネル
４３‥インバータ
４４‥インバータ用入出力パネル
４５‥変圧器上部ダクト連結部
４６‥変圧器端子部
４７‥仕切板
４９‥パワーコンディショナ収納スペース用側面板
５０‥パワーコンディショナ収納スペース用正面板
５１‥パワーコンディショナ収納スペース用背面板
５２‥遮断器及び継電器収納スペース用正面板
５３‥遮断器及び継電器パネル
５４‥空気の流れ
５５‥抵抗器パネル
５６‥通気孔
【図１】
0005889256.tif 000002
【図２Ａ】
0005889256.tif 000003
【図２Ｂ】
0005889256.tif 000004
【図２Ｃ】
0005889256.tif 000005
【図３】
0005889256.tif 000006
【図４Ａ】
0005889256.tif 000007
【図４Ｂ】
0005889256.tif 000008
【図４Ｃ】
0005889256.tif 000009
【図４Ｄ】
0005889256.tif 000010
【図４Ｅ】
0005889256.tif 000011
【図４Ｆ】
0005889256.tif 000012
【図５】
0005889256.tif 000013
【図６】
0005889256.tif 000014
【図７Ａ】
0005889256.tif 000015
【図７Ｂ】
0005889256.tif 000016
【図８】
0005889256.tif 000017